(57)【要約】      （修正有）【課題】使用勝手が良好な靴をを提供する。【解決手段】靴Ｓは、使用者の足の裏側に位置する靴底部１と、この靴底部１から立ち上がると共に、前記足を包むように形成されるアッパー部２と、このアッパー部２の内、前記足の踵を覆う部位は、平面視、略Ｕ字形状をなした略Ｕ字形状部であり、この略Ｕ字形状部は、前記足の踵に対向する踵部２１ａと、この踵部２１ａの一方の側に接続され、前記足の外側に位置する外側サイド部と、踵部２１ａの他方の側に接続され、前記足の内側に位置する内側サイド部とを有し、踵部２１ａの素材は、外側サイド部２１b及び内側サイド部の素材より剛性を有し、靴底部１から自立するように取り付けてあり、外側サイド部及び内側サイド部の素材は、屈曲変形自在な布又は合成樹脂である。【選択図】図５
0003138353.tif 000002
【実用新案登録請求の範囲】
【請求項１】
使用者の足の裏側に位置する靴底部と、
この靴底部から立ち上がると共に、前記足を包むように形成されるアッパー部と、
このアッパー部の内、前記足の踵を覆う部位は、平面視、略Ｕ字形状をなした略Ｕ字形状部であり、
この略Ｕ字形状部は、前記足の踵に対向する踵部と、この踵部の一方の側に接続され、前記足の外側に位置する外側サイド部と、前記踵部の他方の側に接続され、前記足の内側に位置する内側サイド部とを有し、
前記踵部の素材は、前記外側サイド部及び前記内側サイド部の素材より剛性を有し、前記靴底部から自立するように取り付けてあり、
前記外側サイド部及び前記内側サイド部の素材は、屈曲変形自在な布又は合成樹脂である
ことを特徴とする靴。 
【請求項２】
足の外側に位置するアッパー部の外表面の部位に取り付けられたバンドの長さを調整するバンド調整具と、
前記バンドの一端は、足の内側に位置するアッパー部の外表面の部位に取り付けられ、前記バンドの他端は、自由端とすると共に、前記バンドは、前記足の内側に位置するアッパー部の外表面の部位、内側サイド部、踵部、外側サイド部及び前記バンド調整具を順次通る長さを有し、
前記バンドを通すために、前記踵部に形成されたバンド通路と、
前記バンド調整具は、枠体と、この枠体を横断する横断部材とを有し、
前記バンドは、順次、前記足の内側に位置するアッパー部の外表面の部位、前記内側サイド部、前記バンド通路、前記外側サイド部及び前記横断部材を通り、
前記バンドの他端は、前記横断部材で折り返されて、前記枠体の外へと導かれて、前記横断部材と前記横断部材が対向する前記枠体の部位との間で前記バンドが係止する
ことを特徴とする請求項１記載の靴。
【請求項３】
使用者の足の裏側に位置する靴底部と、
この靴底部から立ち上がると共に、前記足を包むように形成されるアッパー部と、
このアッパー部の内、前記足の踵を覆う部位は、平面視、略Ｕ字形状をなした略Ｕ字形状部であり、
この略Ｕ字形状部は、前記足の踵に対向する踵部と、この踵部の一方の側に接続され、前記足の外側に位置する外側サイド部と、前記踵部の他方の側に接続され、前記足の内側に位置する内側サイド部とを有し、
前記踵部の素材は、前記外側サイド部及び前記内側サイド部の素材より剛性を有し、前記靴底部から自立するように取り付けてあり、
前記外側サイド部及び前記内側サイド部の素材は、屈曲変形自在な布又は合成樹脂であり、
前記足の外側に位置する前記アッパー部の外表面の部位に取り付けられたバンドの長さを調整するバンド調整具と、
前記バンドの一端は、前記足の甲の中心より外側に位置する前記アッパー部の外表面の部位に取り付けられ、前記バンドの他端は、自由端とすると共に、前記バンドは、前記足の甲の中心より外側に位置する前記アッパー部の部位、前記足の甲の中心より内側に位置する前記アッパー部の部位、前記内側サイド部、前記踵部、前記外側サイド部及び前記バンド調整具を順次通る長さを有し、
前記足の甲の中心より外側に位置する前記アッパー部の外表面の部位に取り付けられた前記バンドを前記足の甲の中心より内側に位置する前記アッパー部の部位から前記内側サイド部へ案内すると共に、前記足の甲の中心より内側に位置する前記アッパー部の外表面の部位に取り付けられた案内部材と、
前記バンドを通すために、前記踵部に形成されたバンド通路と、
前記バンド調整具は、枠体と、この枠体を横断する横断部材とを有し、
前記バンドは、順次、前記足の甲の中心より外側に位置する前記アッパー部の部位、前記足の甲の中心より内側に位置する前記アッパー部の部位、前記案内部材、前記内側サイド部、前記バンド通路、前記外側サイド部及び前記横断部材を通り、
前記足の甲の中心より外側に位置する前記アッパー部の部位と前記足の甲の中心より内側に位置する前記アッパー部の部位との間に設けられた伸縮部材と、
前記バンドの他端は、前記横断部材で折り返されて、前記枠体の外へと導かれて、前記横断部材と前記横断部材が対向する前記枠体の部位との間で前記バンドが係止する
ことを特徴とする靴。
【請求項４】
足の甲の中心より内側に位置するアッパー部の部位に切り込みを２個設け、この２個の切り込みは平行であり、
前記２個の切り込みにバンドを通して、前記バンドの足の甲の中心より外側に位置する前記アッパー部の部位から案内部材に至る間の前記２個の切り込みの間に位置する前記バンドの部位を前記足の甲の中心より内側に位置する前記アッパー部の部位の裏面側に位置させる
ことを特徴とする請求項３記載の靴。
【請求項５】
アッパー部の踵部の外表面に、足の踵の滑りを防止する滑り防止材が取り付けられている
ことを特徴とする請求項１又は３又は４記載の靴。
【考案の詳細な説明】
【技術分野】
【０００１】
本考案は、靴に係り、特に、使用勝手が良好な靴に関する。
【背景技術】
【０００２】
従来、靴の踵の部位を足で踏んで使用できる靴が知られている。
この靴にあっては、靴の踵の部位に腰がないため、靴の踵の部位から足を取り除いても、靴の踵の部位は、倒れたそのままの形状を保持しており、見映えも悪い。
また、次回、靴の踵の部位を自立した状態で使用したい場合、倒れた靴の踵の部位を手でいちいち持ち上げねばならず、使用勝手が良好でないという問題点が生じた。
【考案の開示】
【考案が解決しようとする課題】
【０００３】
本考案は、前記した問題点を解決するためになされた靴を提供することを目的としている。
【課題を解決するための手段】
【０００４】
前記した目的を達成するための請求項１記載の靴は、使用者の足の裏側に位置する靴底部と、この靴底部から立ち上がると共に、前記足を包むように形成されるアッパー部と、このアッパー部の内、前記足の踵を覆う部位は、平面視、略Ｕ字形状をなした略Ｕ字形状部であり、この略Ｕ字形状部は、前記足の踵に対向する踵部と、この踵部の一方の側に接続され、前記足の外側に位置する外側サイド部と、前記踵部の他方の側に接続され、前記足の内側に位置する内側サイド部とを有し、前記踵部の素材は、前記外側サイド部及び前記内側サイド部の素材より剛性を有し、前記靴底部から自立するように取り付けてあり、前記外側サイド部及び前記内側サイド部の素材は、屈曲変形自在な布又は合成樹脂である。
【０００５】
また、請求項２記載の靴は、請求項１記載の靴において、足の外側に位置するアッパー部の外表面の部位に取り付けられたバンドの長さを調整するバンド調整具と、前記バンドの一端は、足の内側に位置するアッパー部の外表面の部位に取り付けられ、前記バンドの他端は、自由端とすると共に、前記バンドは、前記足の内側に位置するアッパー部の外表面の部位、内側サイド部、踵部、外側サイド部及び前記バンド調整具を順次通る長さを有し、前記バンドを通すために、前記踵部に形成されたバンド通路と、前記バンド調整具は、枠体と、この枠体を横断する横断部材とを有し、前記バンドは、順次、前記足の内側に位置するアッパー部の外表面の部位、前記内側サイド部、前記バンド通路、前記外側サイド部及び前記横断部材を通り、前記バンドの他端は、前記横断部材で折り返されて、前記枠体の外へと導かれて、前記横断部材と前記横断部材が対向する前記枠体の部位との間で前記バンドが係止するものである。
【０００６】
また、請求項３記載の靴は、使用者の足の裏側に位置する靴底部と、この靴底部から立ち上がると共に、前記足を包むように形成されるアッパー部と、このアッパー部の内、前記足の踵を覆う部位は、平面視、略Ｕ字形状をなした略Ｕ字形状部であり、この略Ｕ字形状部は、前記足の踵に対向する踵部と、この踵部の一方の側に接続され、前記足の外側に位置する外側サイド部と、前記踵部の他方の側に接続され、前記足の内側に位置する内側サイド部とを有し、前記踵部の素材は、前記外側サイド部及び前記内側サイド部の素材より剛性を有し、前記靴底部から自立するように取り付けてあり、前記外側サイド部及び前記内側サイド部の素材は、屈曲変形自在な布又は合成樹脂であり、前記足の外側に位置する前記アッパー部の外表面の部位に取り付けられたバンドの長さを調整するバンド調整具と、前記バンドの一端は、前記足の甲の中心より外側に位置する前記アッパー部の外表面の部位に取り付けられ、前記バンドの他端は、自由端とすると共に、前記バンドは、前記足の甲の中心より外側に位置する前記アッパー部の部位、前記足の甲の中心より内側に位置する前記アッパー部の部位、前記内側サイド部、前記踵部、前記外側サイド部及び前記バンド調整具を順次通る長さを有し、前記足の甲の中心より外側に位置する前記アッパー部の外表面の部位に取り付けられた前記バンドを前記足の甲の中心より内側に位置する前記アッパー部の部位から前記内側サイド部へ案内すると共に、前記足の甲の中心より内側に位置する前記アッパー部の外表面の部位に取り付けられた案内部材と、前記バンドを通すために、前記踵部に形成されたバンド通路と、前記バンド調整具は、枠体と、この枠体を横断する横断部材とを有し、前記バンドは、順次、前記足の甲の中心より外側に位置する前記アッパー部の部位、前記足の甲の中心より内側に位置する前記アッパー部の部位、前記案内部材、前記内側サイド部、前記バンド通路、前記外側サイド部及び前記横断部材を通り、前記足の甲の中心より外側に位置する前記アッパー部の部位と前記足の甲の中心より内側に位置する前記アッパー部の部位との間に設けられた伸縮部材と、前記バンドの他端は、前記横断部材で折り返されて、前記枠体の外へと導かれて、前記横断部材と前記横断部材が対向する前記枠体の部位との間で前記バンドが係止するものである。
【０００７】
また、請求項４記載の靴は、請求項３記載の靴において、足の甲の中心より内側に位置するアッパー部の部位に切り込みを２個設け、この２個の切り込みは平行であり、前記２個の切り込みにバンドを通して、前記バンドの足の甲の中心より外側に位置する前記アッパー部の部位から案内部材に至る間の前記２個の切り込みの間に位置する前記バンドの部位を前記足の甲の中心より内側に位置する前記アッパー部の部位の裏面側に位置させるものである。
【０００８】
また、請求項５記載の靴は、請求項１又は３又は４記載の靴において、アッパー部の踵部の外表面に、足の踵の滑りを防止する滑り防止材が取り付けられているものである。  
【考案の効果】
【０００９】
請求項１記載の靴によれば、踵部の素材は、外側サイド部及び内側サイド部の素材より剛性を有し、靴底部から自立するように取り付けてあるため、踵部を足で踏んで使用した後、踵部から足を取り除けば、踵部は自動的に靴底部から自立する。そのため、見映えも良いと共に、次回、踵部を自立した状態で使用する場合、倒れた踵部を手でいちいち持ち上げて自立させる動作も不要となり、使用勝手を向上させることができる。
【００１０】
外側サイド部及び内側サイド部の素材は、屈曲変形自在な布又は合成樹脂であるため、強度的に弱くなるが、請求項２記載の靴によれば、前述した請求項１記載の考案の効果に加え、バンドは、順次、足の内側に位置するアッパー部の外表面の部位、内側サイド部、バンド通路、外側サイド部及び横断部材を通り、前記バンドの他端は、前記横断部材で折り返されて、枠体の外へと導かれて、前記横断部材と前記横断部材が対向する前記枠体の部位との間で前記バンドが係止することにより、弱くなった外側サイド部及び内側サイド部をバンドにより補強することができる。
【００１１】
また、請求項３記載の靴によれば、踵部の素材は、外側サイド部及び内側サイド部の素材より剛性を有し、靴底部から自立するように取り付けてあるため、踵部を足で踏んで使用した後、踵部から足を取り除けば、踵部は自動的に靴底部から自立する。そのため、見映えも良いと共に、次回、踵部を自立した状態で使用する場合、倒れた踵部を手でいちいち持ち上げて自立させる動作も不要となり、使用勝手を向上させることができる。
更に、外側サイド部及び内側サイド部の素材は、屈曲変形自在な布又は合成樹脂であるため、強度的に弱くなるが、請求項３記載の靴によれば、バンドは、順次、足の甲の中心より外側に位置するアッパー部の部位、前記足の甲の中心より内側に位置する前記アッパー部の部位、案内部材、内側サイド部、バンド通路、外側サイド部及び横断部材を通っているため、前記バンドの他端を引っ張ると、前記横断部材と前記横断部材が対向する枠体の部位との間で前記バンドが係止することにより、弱くなった外側サイド部及び内側サイド部をバンドにより補強することができると共に、前記足の甲の中心より外側に位置する前記アッパー部の部位と足の甲の中心より外側に位置するアッパー部の部位との間に設けられた伸縮部材により、使用者の足の甲の高低差にも対応することができる。
【００１２】
また、請求項４記載の靴によれば、前述した請求項３記載の考案の効果に加え、２個の切り込みにバンドを通して、前記バンドの足の甲の中心より外側に位置する前記アッパー部の部位から案内部材に至る間の前記２個の切り込みの間に位置する前記バンドの部位を前記足の甲の中心より内側に位置する前記アッパー部の部位の裏面側に位置させるため  、該部分がアッパー部の部位の外表面に位置しているものに比較し、バンドが外側に広がらず、靴以外のものに引っかかることを防止することができる。
【００１３】
また、請求項５記載の靴によれば、前述した請求項１又は３又は４記載の考案の効果に加え、アッパー部の踵部の外表面に、足の踵の滑りを防止する滑り防止材が取り付けられているため、アッパー部の踵部を足で踏んで使用する場合、足が靴から抜け出ることを防ぐことができる。
【考案を実施するための最良の形態】
【００１４】
本考案の一実施例の靴を図面を参照して説明する。
図１〜図１０において、Ｓは靴で、靴Ｓは、概略的に、使用者の足の裏側に位置する靴底部１と、この靴底部１から立ち上がると共に、前記足を包むように形成されるアッパー部２とから、構成されている。
靴底部１は、靴底部１の表面側に靴底本体１１が配置され、この靴底本体１１の内側に中底１２が形成されている。
【００１５】
アッパー部２の内、足の踵を覆う部位は、図２に示すように、平面視、略Ｕ字形状をなした略Ｕ字形状部２１であり、この略Ｕ字形状部２１は、前記足の踵に対向する踵部２１ａと、この踵部２１ａの一方の側に接続され、前記足の外側に位置する外側サイド部２１ｂと、踵部２１ａの他方の側に接続され、前記足の内側に位置する内側サイド部２１ｃとを有している。
踵部２１ａの素材は、例えば、人工皮革で、外側サイド部２１ｂ及び内側サイド部２１ｃの素材より剛性を有し、靴底部１から自立するように取り付けてある。
【００１６】
また、外側サイド部２１ｂ及び内側サイド部２１ｃの素材は、屈曲変形自在な合成樹脂（合成樹脂は、例えば、ポリエステルである。）である。なお、外側サイド部２１ｂ及び内側サイド部２１ｃの素材は、合成樹脂の代わりに、屈曲変形自在な布でも良い。また、踵部２１ａの外表面には、足の踵の滑りを防止する滑り防止材２１ｄ（例えば、合成ゴム、又は、凹凸）が取り付けられている。
また、図３に示すＰはバンド通路で、バンド通路Ｐは、説明を後述するバンド３を通すために、踵部２１ａに形成されたもので、具体的には、例えば、踵部２１ａと滑り防止材２１ｄとの間に形成される隙間である。
【００１７】
また、バンド３（又は、テープで、商品名  エステル綾テープ）は、一端を足の内側に位置するアッパー部２の外表面の部位２Ｂに、例えば、縫製等により取り付けられ、他端を自由端とすると共に、バンド３は、前記足の内側に位置するアッパー部２の外表面の部位２Ｂ、内側サイド部２１ｃ、踵部２１ａ、外側サイド部２１ｂ及び後述するバンド調整具４を順次通る長さを有している。
【００１８】
バンド調整具４は、足の外側に位置するアッパー部２の外表面の部位２Ａに取り付けられ、バンド３の長さを調整するもので、バンド調整具４は、枠体４１と、この枠体４１を横断する横断部材４２、４３とを有している。
横断部材４２、４３の内、横断部材４２は、バンド３を通すと共に、折り返し、バンド３の自由端の側を足の外側に位置するアッパー部２の外表面の部位２Ａに、縫製等により取り付けられている。
横断部材４２、４３の内、横断部材４３は、バンド３の他端を折り返すもので、折り返されたバンド３の他端は、枠体４１の外へと導かれて、横断部材４３と横断部材４３が対向する枠体４１の部位４１ａとの間でバンド３が係止するようになっている。このバンド３は、順次、前記足の内側に位置するアッパー部２の外表面の部位２Ｂ、内側サイド部２１ｃ、バンド通路Ｐ、外側サイド部２１ｂ及び横断部材４３を通ることとなる。
また、図１０に示すように、靴底本体１１の外表面には、長手形状の溝１１ｂが設けられ、長手形状の溝１１ｂを介して、靴底本体１１の外表面から水を靴Ｓの外へと排除し、靴Ｓの滑りを防止している。
【００１９】
従って、上述した靴Ｓによれば、踵部２１ａの素材は、外側サイド部２１ｂ及び内側サイド部２１ｃの素材より剛性を有し、靴底部１から自立するように取り付けてあるため、踵部２１ａを足で踏んで使用（図４参照）した後、踵部２１ａから足を取り除けば、図５に示すように、踵部２１ａは自動的に靴底部１から自立する。
そのため、見映えも良いと共に、次回、踵部２１ａを自立した状態で使用したい場合、倒れた踵部２１ａを手でいちいち持ち上げて自立させる動作も不要となり、使用勝手を向上させることができる。
また、踵部２１ａの外表面に、足の踵の滑りを防止する滑り防止材２１ｄが取り付けられているため、カウンター部２１ａを足で踏んで使用する場合、足が靴Ｓから抜け出ることを防ぐことができる。
【００２０】
また、外側サイド部２１ｂ及び内側サイド部２１ｃの素材は、屈曲変形自在な布又は合成樹脂であるため、強度的に弱くなるが、一端を足の内側に位置するアッパー部２の外表面の部位２Ｂに取り付けられ、他端を自由端とすると共に、内側サイド部２１ｃ、踵部２１ａ、外側サイド部２１ｂの外側を順次通る長さを有するバンド３と、足の外側に位置するアッパー部２の外表面の部位２Ａに取り付けられたバンド調整具４と、このバンド調整具４は、枠体４１と、この枠体４１を横断する横断部材４３とを有し、バンド３の他端が、横断部材４３を通って折り返して、枠体４１の外へと導かれて、横断部材４３と横断部材４３が対向する枠体４１の部位４１ａとの間でバンド３が係止することにより、弱くなった外側サイド部２１ｂ及び内側サイド部２１ｃをバンド３により補強することができる。
【００２１】
また、上述した実施例においては、使用者の足の甲の高低差がある場合について、考慮されていないが、次に示す実施例においては、使用者の足の甲の高低差を考慮した靴Ｓである（図１１乃至図１４）。
この実施例においては、上述した図１乃至図１０記載の実施例と同一部分に同一符号を付してその説明を一部省略している。
【００２２】
即ち、バンド３の一端は、足の甲の中心より外側に位置するアッパー部２の外表面の部位２Ａに取り付けられ、バンド３の他端は、自由端とすると共に、バンド３は、足の甲の中心より外側に位置するアッパー部２の部位２Ａ、足の甲の中心より内側に位置するアッパー部２の部位２Ｂ、内側サイド部２１ｃ、踵部２１ａ、外側サイド部２１ｂ及びバンド調整具４を順次通る長さを有している。
また、足の甲の中心より内側に位置するアッパー部２の部位２Ｂには、切り込みＫ１、Ｋ２が２個設けられ、この２個の切り込みＫ１、Ｋ２は平行となっている。この２個の切り込みＫ１、Ｋ２にバンド３を通して、バンド３の足の甲の中心より外側に位置するアッパー部２の部位２Ａから説明を後述する案内部材Ｇに至る間の２個の切り込みＫ１、Ｋ２の間に位置するバンド３の部位３Ｂを足の甲の中心より内側に位置するアッパー部２の部位２Ｂの裏面側に位置させる。これは、バンド３が外側に広がらないようにして、バンド３が靴Ｓ以外のものに引っかかることを防止するものである。
また、Ｇは案内部材で、案内部材Ｇは、足の甲の中心より外側に位置するアッパー部２の外表面の部位２Ａに取り付けられたバンド３を足の甲の中心より内側に位置するアッパー部２の部位２Ｂから内側サイド部２１ｃへ案内すると共に、足の甲の中心より内側に位置するアッパー部２の外表面の部位２Ｂに取り付けられている。
また、２Ｃは、足の甲の中心より外側に位置するアッパー部２の部位２Ａと足の甲の中心より外側に位置するアッパー部２の部位２Ｂとの間に設けられた伸縮部材（例えば、メッシュ状部材である。）である。
【００２３】
なお、バンド３は、順次、足の甲の中心より外側に位置するアッパー部２の部位２Ａ、足の甲の中心より内側に位置するアッパー部２の部位２Ｂ、案内部材Ｇ、内側サイド部２１ｃ、バンド通路Ｐ（バンド通路Ｐは、上述した実施例と同様のバンド３を通すために、踵部２１ａに形成され、具体的には、例えば、踵部２１ａと滑り防止材２１ｄとの間に形成された隙間である。）、外側サイド部２１ｂ及びバンド調整具４の横断部材（横断部材は、図１１乃至図１４においては、図示されていないが、図７、図９記載の横断部材４３）を通ることとなる。                    
【００２４】
従って、足の甲が高い場合、図１１及び図１２記載のままで良いが、足の甲が低い場合には、バンド３の自由端を図１１記載の矢印方向に引っ張ることにより、伸縮部材２Ｃを変形させ、図１３及び図１４記載のように足の甲のアッパー部２を低くくするようにしている。
【図面の簡単な説明】
【００２５】
【図１】図１は、本考案の一実施例の靴の概略的斜視図である。
【図２】図２は、図１の靴の概略的平面図である。
【図３】図３は、図１の靴の一部の概略的一部断面図である。
【図４】図４は、図１の靴の踵部を踏んで拘束した状態の概略的断面図である。
【図５】図５は、図４の踵部を非拘束とした場合の概略的断面図である。
【図６】図６は、図１の靴のバンドを締める前の状態の概略的側面図である。
【図７】図７は、図６の概略的一部平面図である。
【図８】図８は、図６の靴のバンドを締め付けた状態の概略的側面図である。
【図９】図９は、図８の概略的一部平面図である。
【図１０】図１０は、図１の靴の概略的断面図である。
【図１１】図１１は、図１の靴と異なる他の実施例の靴の概略的平面図である。
【図１２】図１２は、図１１の靴の概略的側面図である。
【図１３】図１３は、図１１の靴のバンドを締めた状態の概略的平面図である。
【図１４】図１４は、図１３の靴の概略的側面図である。
【符号の説明】
【００２６】
Ｓ        靴
１        靴底部
２        アッパー部
２１      略Ｕ字形状部
２１ａ    踵部
２１ｂ    外側サイド部
２１ｃ    内側サイド部
【図１】
0003138353.tif 000003
【図２】
0003138353.tif 000004
【図３】
0003138353.tif 000005
【図４】
0003138353.tif 000006
【図５】
0003138353.tif 000007
【図６】
0003138353.tif 000008
【図７】
0003138353.tif 000009
【図８】
0003138353.tif 000010
【図９】
0003138353.tif 000011
【図１０】
0003138353.tif 000012
【図１１】
0003138353.tif 000013
【図１２】
0003138353.tif 000014
【図１３】
0003138353.tif 000015
【図１４】
0003138353.tif 000016